(57)【要約】【課題】生産性と寿命のバランスを考慮し、ユーザの不利益にならない最適条件で出力できるようにする。【解決手段】複数の感光体を用いて画像形成を行うＦＣモードと、単一の感光体を用いて画像形成を行うＢｋモードとが設定され、接離機構によりＦＣモードとＢｋモードとを転写ローラの離接により切り替える画像形成装置において、切り替え制御部１１４は、画像形成開始時にフルカラーとモノクロの混在パターンを認識し、その認識結果に基づく生産性と各色作像手段の寿命を勘案し、ＦＣモードからＢｋモードへの切り替え時間と切り替え回数を最適化する。その際、切り替え制御部１１４は、ＦＣとＢｋの原稿の順番から切り替え可能な個所、及び切り替えが必須な個所を認識し、前記切り替え可能な個所において、切り替えを実行するか否かを判断する。【選択図】図１
2010072080.tif 000002
【特許請求の範囲】
【請求項１】
複数の感光体を用いて画像形成を行うフルカラー画像形成モードと、
単一の感光体を用いて画像形成を行うモノクロ画像形成モードと、
が設定され、切り替え手段により前記フルカラー画像形成モードと前記モノクロ画像形成モードとを転写手段の離接により切り替える画像形成装置において、
画像形成開始時に、フルカラーとモノクロの混在パターンを認識する手段と、
前記混在パターンを認識した結果に基づく生産性と各色作像手段の寿命を勘案し、フルカー画像形成モードからモノクロ画像形成モードへの切り替え時間と切り替え回数を最適化する手段と、
を備えていることを特徴とする画像形成装置。
【請求項２】
請求項１記載の画像形成装置において、
前記最適化する手段は、フルカラーとモノクロの原稿の順番から切り替え可能な個所、及び切り替えが必須な個所を認識し、前記切り替え可能な個所において、切り替えを実行するか否かを判断することを特徴とする画像形成装置。
【請求項３】
請求項１または２記載の画像形成装置において、
前記最適化する手段は、生産性、寿命及び両者のバランスのいずれかを重視して最適化することを特徴とする画像形成装置。
【請求項４】
請求項１ないし３のいずれか１項に記載の画像形成装置において、
前記最適化する手段は、前記認識する手段によって認識された混在パターンと総印刷枚数とに基づいて前記最適化を実行することを特徴とする画像形成装置。
【請求項５】
請求項３記載の画像形成装置において、
前記生産性、寿命及び両者のバランスのいずれを重視するかはユーザ設定により行われることを特徴とする画像形成装置。
【請求項６】
複数の感光体を用いて画像形成を行うフルカラー画像形成モードと、
単一の感光体を用いて画像形成を行うモノクロ画像形成モードと、
が設定され、切り替え手段により前記フルカラー画像形成モードと前記モノクロ画像形成モードとを転写手段の離接により切り替える画像形成モードの切り替え方法において、
画像形成開始時に、フルカラーとモノクロの混在パターンを認識する工程と、
前記混在パターンを認識した結果に基づく生産性及び各色作像手段の寿命を勘案し、フルカー画像形成モードからモノクロ画像形成モードへの切り替え時間と切り替え回数を最適化する工程と、
を備えていることを特徴とする画像形成モードの切り替え方法。
【請求項７】
複数の感光体を用いて画像形成を行うフルカラー画像形成モードと、
単一の感光体を用いて画像形成を行うモノクロ画像形成モードと、
が設定され、切り替え手段により前記フルカラー画像形成モードと前記モノクロ画像形成モードとを転写手段の離接により切り替える画像形成モードの切り替えをコンピュータによって実行するためのコンピュータプログラムにおいて、
画像形成開始時に、フルカラーとモノクロの混在パターンを認識する手順と、
前記混在パターンを認識した結果に基づく生産性及び各色作像手段の寿命を勘案し、フルカー画像形成モードからモノクロ画像形成モードへの切り替え時間と切り替え回数を最適化する手順と、
を備えていることを特徴とするコンピュータプログラム。
【発明の詳細な説明】
【技術分野】
【０００１】
本発明は、感光体上に形成されたトナー像を転写用紙に転写して画像を形成する画像形成装置に係り、特に、カラーページとモノクロページを切り替えて画像形成する方式の画像形成装置、この画像形成装置によって実行される画像形成モード切り替え方法、及びこのモード切り替え方法をコンピュータによって実行するためのコンピュータプログラムに関する。
【背景技術】
【０００２】
従来のカラー印字モードとモノクロ印字モードの切り替えが可能である画像形成装置においては、プリンタのコントローラが画像のカラー、モノクロを識別してページごとに印字モードを切り替える方法が採られていることが多く、自動カラー選択印刷（ＡＣＳ）モードと称されている。すなわち、ブラックの作像ユニットと、イエロー、マゼンタ、シアンの作像ユニットがそれぞれ独立して駆動可能であるように構成し、また作像ユニット内の感光体と中間転写ベルトとの当接を独立して行える構成となっており、カラー印字モードの場合は、ブラック、イエロー、マゼンタ、シアンの作像ユニットを駆動し、１次転写ローラの加圧により各感光体と中間転写ベルトに当接させ、モノクロ印字モードの場合は、ブラックの作像ユニットのみ駆動し、ブラックの感光体のみ中間転写ベルトに当接させて、画像転写を行っている。
【０００３】
このような形式の画像形成装置として、例えば特許文献１または２に記載された発明が公知である。このうち、特許文献１には、複数の感光体に形成した潜像をトナーによって顕像化し、そのトナー像を順次重ねて転写して保持し、そのトナー像を用紙に転写し定着して排紙する画像形成装置であって、カラー印字のページとモノクロ印字のページが混在する印字処理において、前記カラー印字モードとモノクロ印字モードの切り替え回数が最小限となるように、前記カラー印字及び前記モノクロ印字の制御を行うと共に、印字要求のページ順通りに前記印字用紙が積載されるように、印字された用紙を第１及び第２の排紙口のいずれかより排出するようにした発明が開示されている。
【０００４】
また、特許文献２には、作像部の像担持体と接触した状態で回転する転写体であって、該転写体または転写体上に搬送される記録媒体に像担持体上の画像が転写されるものと、全ての像担持体を転写体と接触させる接触状態と、一つの作像部を除く作像部の像担持体全てを転写体から離間させる離間状態と、の間で切り替えを行う切り替え部と、上記一つの作像部を除く作像部の像担持体及びプロセス部材の残り寿命を記憶する記憶部と、印刷ジョブ及び記憶部に記憶された残り寿命に基づいて上記切り替え部を制御する制御部と、を備えた発明が開示されている。
【特許文献１】特開２００８−０６５２６９号公報
【特許文献２】特許第３７５０６７８号公報
【発明の開示】
【発明が解決しようとする課題】
【０００５】
前述のようにカラー画像形成装置においては、フルカラー（以下、ＦＣと称す）印刷時には、ＦＣ分の現像ユニットとして一般的には４色分を用いて作像処理を行い、モノクロ（以下、Ｂｋと称す）印刷時には、前述４つの現像ユニットのうち、ブラック色のみを用いて作像処理を行うものがある。ここで、寿命を考慮するとＢｋ印刷時には、使用しない現像ユニットを転写体から離間した方が良い。Ｂｋ，ＦＣの印刷が混在する場合には、ＢｋからＦＣの印刷に変わる際、離間していた現像ユニットを接触させる必要がある。
【０００６】
このような切り替えを行う際、接触、離間にかかる時間分、印刷が遅くなることから、前記特許文献１記載の発明では、ＦＣとＢｋの印刷を分離し、接離回数を可能な限り減らすようにしている。しかしながら、特許文献１記載の発明では、印刷順序が変更されるため、ユーザの望む形式で出力されてはいない。
【０００７】
また、特許文献２記載の発明では、寿命を考慮して切り替え回数を制限しているが、特許文献２記載の発明では、切り替えのための時間による作像に係る時間のロスが考慮されておらず、生産性は落ちている。
【０００８】
そこで、本発明が解決しようとする課題は、生産性と寿命のバランスを考慮し、ユーザの不利益にならない最適条件で出力できるようにすることにある。
【課題を解決するための手段】
【０００９】
前記課題を解決するため、第１の手段は、複数の感光体を用いて画像形成を行うフルカラー画像形成モードと、単一の感光体を用いて画像形成を行うモノクロ画像形成モードと、が設定され、切り替え手段により前記フルカラー画像形成モードと前記モノクロ画像形成モードとを転写手段の離接により切り替える画像形成装置において、画像形成開始時に、フルカラーとモノクロの混在パターンを認識する手段と、前記混在パターンを認識した結果に基づく生産性と各色作像手段の寿命を勘案し、フルカー画像形成モードからモノクロ画像形成モードへの切り替え時間と切り替え回数を最適化する手段と、を備えていることを特徴とする。
【００１０】
第２の手段は、第１の手段において、前記最適化する手段は、フルカラーとモノクロの原稿の順番から切り替え可能な個所、及び切り替えが必須な個所を認識し、前記切り替え可能な個所において、切り替えを実行するか否かを判断することを特徴とする。
【００１１】
第３の手段は、第１または第２の手段において、前記最適化する手段は、生産性、寿命及び両者のバランスのいずれかを重視して最適化することを特徴とする。
【００１２】
第４の手段は、第１ないし第３のいずれかの手段において、前記最適化する手段は、前記認識する手段によって認識された混在パターンと総印刷枚数とに基づいて前記最適化を実行することを特徴とする。
【００１３】
第５の手段は、第３の手段において、前記生産性、寿命及び両者のバランスのいずれを重視するかはユーザ設定により行われることを特徴とする。
【００１４】
第６の手段は、複数の感光体を用いて画像形成を行うフルカラー画像形成モードと、単一の感光体を用いて画像形成を行うモノクロ画像形成モードと、が設定され、切り替え手段により前記フルカラー画像形成モードと前記モノクロ画像形成モードとを転写手段の離接により切り替える画像形成モードの切り替え方法において、画像形成開始時に、フルカラーとモノクロの混在パターンを認識する工程と、前記混在パターンを認識した結果に基づく生産性及び各色作像手段の寿命を勘案し、フルカー画像形成モードからモノクロ画像形成モードへの切り替え時間と切り替え回数を最適化する工程と、を備えていることを特徴とする。
【００１５】
第７の手段は、複数の感光体を用いて画像形成を行うフルカラー画像形成モードと、単一の感光体を用いて画像形成を行うモノクロ画像形成モードと、が設定され、切り替え手段により前記フルカラー画像形成モードと前記モノクロ画像形成モードとを転写手段の離接により切り替える画像形成モードの切り替えをコンピュータによって実行するためのコンピュータプログラムにおいて、画像形成開始時に、フルカラーとモノクロの混在パターンを認識する手順と、前記混在パターンを認識した結果に基づく生産性及び各色作像手段の寿命を勘案し、フルカー画像形成モードからモノクロ画像形成モードへの切り替え時間と切り替え回数を最適化する手順と、を備えていることを特徴とする。
【００１６】
後述の実施形態では、複数の感光体は感光体ドラム１Ｙ，１Ｃ，１Ｍ，１Ｂに、切り替え手段は接離機構４ＹＭＣに、作像手段は作像ステーション（感光体ドラム１の外周に沿って配置された帯電装置６、現像装置２、転写装置３、クリーニング装置７、除電装置８を含む）に、認識する手段及び最適化する手段は切り替え制御部１１４に、それぞれ対応する。
【発明の効果】
【００１７】
本発明によれば、混在パターンを認識した結果に基づく生産性と各色作像手段の寿命を勘案し、フルカー画像形成モードからモノクロ画像形成モードへの切り替え時間と切り替え回数を最適化するので、生産性と寿命のバランスを考慮し、ユーザの不利益にならない最適条件で出力できるようにすることができる。
【発明を実施するための最良の形態】
【００１８】
以下、本発明の実施形態について、図面を参照しながら説明する。
【００１９】
図１は、本発明の一実施形態に係る画像形成装置の概略構成を示す機能ブロック図である。図１において、画像形成装置は、ＣＰＵ１０１、ＲＯＭ１０２、ＲＡＭ１０３、スキャナ１０４、プロッタ１０５、操作表示制御部１０６、ＣＣＵ１０７、モデム１０８、ＳＡＦ１０９、符号化複合化部１１０、ＮＣＵ１１１、バス１１２、ネットワークＩ／Ｆ制御部１１３、及び切り替え制御部１１４を備えている。
【００２０】
ＲＯＭ１０２は画像形成装置（以下、単に装置という）としての基本プログラムや、本発明の処理プログラムなどが格納され、ＣＰＵ１０１はＲＯＭ１０２内のプログラムに従って本装置の各部を制御し、後述の処理を実行する。ＲＡＭ１０３はＣＰＵ１０１のワークエリアが形成され、画像形成装置の制御に必要な種々のデータが記憶される。ＣＰＵ１０１はこのＲＡＭ１０３のワークエリアを使用して前記プログラムで定義された制御を実行する。
【００２１】
スキャナ１０４は原稿を光学的に読み取る機能を有し、プロッタ１０５はコピーや受信原稿の印字を行う。本実施形態では、後述のように電子写真方式で印字（画像形成）するタンデム型のカラー画像形成装置である。操作表示制御部１０６はユーザが操作表示部から入力した指示をＣＰＵ１０１側に転送し、ＣＰＵ１０１側からの情報をユーザに伝えるマン・マシンＩ／Ｆ、ＣＣＵ（通信制御部）１０７は相手画像形成装置との間でファクシミリ制御信号を交換し、ファクシミリ通信手順を実行する、モデム１０８は送信信号の変調、受信信号の復調を行い、符号化復号化部（ＤＣＲ）１１０は画情報を所定の符号化方式に従って符号化し、また、符号化された画情報を復号化する。ＮＣＵ１１１は通信回線の制御を行う網制御部であり、ネットワークインタフェイス制御部１１３はネットワークの制御を行う。切り替え制御部１１４はフルカラーとブラックの切り替えを行う。ＳＡＦ（Ｓｔｏｒｅ  ａｎｄ  Ｆｏｒｗａｒｄ）１０９は画像の蓄積を行うメモリである。これらの各部は、バス１１２により互いに接続され、これによりＣＰＵ１の制御下にあって有機的に動作する。
【００２２】
フルカラーの画像を形成し、かつ、フルカラーとブラックの切り替えを行う画像形成装置には、例えば図２及び図３に示すようなタンデム型画像形成装置がある。このうち図２は間接転写方式のタンデム型画像形成装置の作像系の概略構成を示し、図３は直接転写方式のタンデム型画像形成装置の作像系の概略構成を示す図である。
【００２３】
図２において、本実施形態に係る画像形成装置は、Ｙ，Ｍ，Ｃ，Ｋ各色の画像を形成するための各色の作像ステーションを備えている。各作像ステーションは、感光体ドラム１と、この感光体ドラム１の外周に沿って配置された帯電装置６、現像装置２、転写装置３、クリーニング装置７、除電装置８とからなり、この作像ステーションがＹ（イエロー），Ｃ（シアン），Ｍ（マゼンタ），Ｂ（ブラック）の各色毎に中間転写ベルト５の移動方向に、この順で配置されている。図では、各色の感光体１、帯電装置６、現像装置２、１次転写装置３、クリーニング装置７、除電装置８にそれぞれ、Ｙ，Ｃ，Ｍ，Ｂの添え字を付し、色の区別をしている。なお、各色共通、言い換えれば、前記各装置を総括的に示す場合には、色を示す添え字は省略する。
【００２４】
この間接転写方式のタンデム型画像形成装置では、各感光体１上にそれぞれ単色のトナー画像を形成し、それらの単色トナー画像を中間転写ベルト５に接触させて中間転写ベルト５上に順次転写し、複数のトナー画像を重畳させて合成カラー画像を形成する。一方、中間転写ベルト５は駆動ローラ２１と第１及び第２の従動ローラ２２，２３間に張設され、駆動ローラと従動ローラ間に張設された転写ベルト２４とのニップに転写媒体としての用紙を搬送すると、中間転写ベルト５上の合成カラー画像が用紙に転写され、図示しない定着装置に導かれて定着された後、排紙される。
【００２５】
この画像形成装置は、各感光体１から中間転写ベルト５に画像を転写する際、各転写位置で必要に応じて転写装置（転写ローラ）３Ｙ，３Ｃ，３Ｍ，３Ｂを上下させる。転写装置３は接離機構４ＹＭＣ，４Ｂを駆動することによって上下動し、中間転写ベルト５との接触及び離間が可能となっている。なお、潜像は、前記各感光体１へのレーザ書込部９から、画像信号に基づいて変調する各色毎のレーザ光による走査によって形成される。
【００２６】
直接転写方式のタンデム型画像形成装置は図３のように概略構成され、図２の間接転写方式のタンデム型画像形成装置の各要素と対応する要素には同一の符号を付し、重複する説明は省略する。
【００２７】
この直接転写方式のタンデム型画像形成装置では、色の異なる画像が間接転写方式のタンデム型画像形成装置と同様にそれぞれの作像ステーションで形成され、転写搬送ベルト３０に吸着されて搬送されてくる用紙に各作像ステーションで各色のトナー画像が転写され、最終的に合成カラー画像が用紙上に形成される。各作像ステーションの転写位置では、必要に応じて転写装置（転写ローラ）３Ｙ，３Ｃ，３Ｍ，３Ｂが上下動する。転写装置３は接離機構４ＹＣＭ，４Ｂにより上下方向に駆動され、転写搬送ベルト３０に対する接触・離間動作が可能となっている。なお、符号１３は感光体ドラムモータであり、間接転写方式のタンデム型画像形成装置における感光体ドラムモータ１４に対応する。
【００２８】
また、転写搬送ベルト３０は、搬送駆動モータ３１により回転される駆動ローラ３２と従動ローラ３３との間に張架されて矢示方向に回動する。
【００２９】
なお、図２及び図３に示したタンデム型画像形成装置における画像形成の動作については、公知の画像形成装置と同様であり、本発明には直接関係しないので省略する。
【００３０】
図４は前述のように構成された画像形成装置における処理手順の概略を示すフローチャートである。同図において、印刷対象とするデータを読み込んだ時点において（ステップＳ１０１）、切り替え制御部１１４は、データがＦＣ（フルカラー）であるか、Ｂｋ（モノクロ）であるかを認識する（ステップＳ１０２）。
【００３１】
このときのＦＣとＢｋデータのイメージを図５に示す。図５においては、横軸に１回の印刷のパターンを、縦軸にその回数示している。従って図５の例では、１回目から９回目までの印刷パターンを示している。切り替え動作を行うには、物理的な動作が加わるために時間がかかり、当該切り替え時間中にも転写体と現像ユニットの接触時間があるため、生産性、寿命はこれを考慮する必要がある。また、ＦＣからＢｋ、ＢｋからＦＣへの切り替えそれぞれで、かかる時間や寿命に差が生じるのが通常である。ここで、Ｂｋにて印刷中の場合（以下、ＢＫモードと称す）、次にＦＣの印刷を行う場合には、そのままではＦＣの印刷はできないので、ＹＭＣの転写ユニット３Ｙ，３Ｃ，３Ｍを接触させてＦＣ印刷（以下、ＦＣモードと称す）へ切り替える必要がある。逆に、ＦＣモードからＢｋモードへは、ＹＭＣの画像を形成しないだけなので、モードを切り替えずにＢｋの印刷は可能である。
【００３２】
ここで、切り替え制御部１１４は最適化の判断を行う。図６のグラフは、一定の枚数内において、ＢｋとＦＣのパターンが混在した場合に、一定のルールで切り替えを行った場合の生産性の平均を示したものである。一定のルールとは、前述の通り、「ＢｋモードでＦＣが来たら必ず切り替えを行う。ＦＣモードでＢｋが来たら必ずしも切り替えの必要はない。」というものである。図６において、横軸はＦＣとＢｋの混在枚数であり右へ行くほどＢｋ混在率が高くなっている。縦軸はその時の混在枚数における混在の順番から生産性を算出し、これを混在順番のパターン全てに対して実行し、平均値を求めた値である。このデータに基づいて当該印刷時のモードでのＢｋ切り替えタイミングをいつにするか、を切り替え制御部１１４が制御することにより、最適なタイミングを算出することができる。
【００３３】
ＦＣモードのみで印刷をしている限りは、生産性が低下することはない。選択によっては、これを採用することも考えられる。ところが実際には使用しないＦＣモード用の現像ユニットの寿命が、Ｂｋの印刷によって減っていく結果となる。これを解消するため、前述の切り替えを行った場合、寿命にどういった影響を与えるかを図示したグラフが図７及び図８である。ここで、横軸は前述の図４と同様に横軸はＦＣとＢｋの混在枚数であり右へ行くほどＢｋ混在率が高くなっている。一方、縦軸は寿命の逆数の平均値で、値が低いほど寿命に有利であることを示している。
【００３４】
図７は、ＦＣモード時にＢｋ印刷を行う際、必ずしもＢｋモードに切り替えないときのＦＣとＢｋの原稿の混在枚数と寿命の逆数の平均値の関係を示し、図８は、Ｂｋ印刷時に必ずＢｋモードに切り替えるときのＦＣとＢｋの原稿の混在枚数と寿命の逆数の平均値の関係を示している。右側のＢｋ混載率が高いほど、寿命に対しては有利である。ところが図６に示すように生産性の平均値は、このとき最も低くなってしまう。
【００３５】
これらの傾向を踏まえ、切り替え制御部１１４は、前述の図５に示したような認識データを１回の印刷パターンにおいて認識した後に、Ｂｋの切り替えタイミングを算出する。例えば、図５の６行目（６回目）、７行目（７回目）のように、ＢｋとＢｋの間に少数のＦＣが含まれる場合の、Ｂｋモードへの切り替えタイミングである。これを、ユーザが予め設定した
１）生産性重視
２）寿命重視
３）生産性と寿命のバランスを考慮する
のいずれかに基づいて、切り替えタイミングを設定する。
【００３６】
実際に印刷動作を行う場合には、プロッタに対して切り替え制御部１１４が、上述の如く算出した切り替えタイミングにて切り替えを実行し、最適な印刷を実行していく。
【００３７】
切り替えは、本実施形態では、接離機構４ＹＭＣ，４Ｂを駆動することによって転写装置３Ｙ，３Ｃ，３Ｍと３Ｂを上下させることにより行われるが、転写装置３Ｂは通常、常時接触状態となっており、転写装置３Ｙ，３Ｃ，３Ｍを接離機構４ＹＭＣによって一体に離接することにより行われる。
【００３８】
なお、図２及び図３の装置では、接離機構が４ＹＭＣ，４Ｂの２つに分かれて構成されているが、図９に示すように、中間転写ベルト８の黒色用の感光体ドラム１Ｂ側を中心に、黒色用の感光体１Ｂに中間転写ベルト８を常時接触させた状態で、他の色の感光体ドラム１ＹＣＭ側を離間させるようにしてＢｋモードとＦＣモードを切り替えるようにすることもできる。
【００３９】
また、ユーザ設定により切り替え制御を実行しないように設定し、例えば生産性を最大とする選択を行うことも可能である。なお、ユーザ設定は、前記操作表示部からの操作入力により設定される。
【００４０】
以上のように、本実施形態によれば、以下のような効果を奏する。
【００４１】
１）印刷開始時に、ＦＣ，Ｂｋの混在パターンを認識することにより、ＦＣからＢｋへの切り替え時間、及びＢｋからＦＣへの切り替え時間を考慮したパターンデータ（要求されている原稿において、ＢｋとＦＣ原稿の順番から、切り替えが可能な個所、必至な個所）を算出することにより、切り替え回数の最適化と生産性、寿命が、ユーザの求める最適な値となるように切り替え動作を行うので、ユーザの求める仕上がり状態を、ユーザの求める最適な生産性・寿命で実現することができる。
【００４２】
２）生産性、寿命、これらのいずれを重視するか、あるいはこれらのバランスを取るかなどをユーザが設定して切り替えタイミングを設定することができ、ユーザの要望に応えたＢｋとＦＣの混在原稿の出力が可能となる。これにより、最速で出力結果を得ること、機械寿命を最も考慮した出力を得ること、機械寿命と生産性のバランスが取れた状態で出力結果を得ること、及び、ユーザのニーズにより、様々な出力結果を選択することが可能となる。
【００４３】
３）切り替え制御を実行しないで生産性を最大とする選択をユーザが行うことが可能であり、機械の契約形態によっては寿命込み契約など寿命がユーザにとってデメリットでなくなる場合にも、ユーザにとって最も有利な生産性条件で印刷を実行することができる。
【００４４】
なお、本発明は本実施形態に限定されるものではなく、特許請求の範囲に記載された技術思想に含まれる技術的事項の全てが対象となることは言うまでもない。
【図面の簡単な説明】
【００４５】
【図１】本発明の実施形態に係る画像形成装置の概略構成を示す機能ブロック図である。
【図２】間接転写方式のタンデム型画像形成装置の作像系の概略構成を示す図である。
【図３】直接転写方式のタンデム型画像形成装置の作像系の概略構成を示す図である。
【図４】画像形成装置における処理手順の概略を示すフローチャートである。
【図５】ＦＣとＢｋデータのイメージを示す図である。
【図６】一定の枚数内において、ＢｋとＦＣのパターンが混在した場合に、一定のルールで切り替えを行った場合の生産性の平均をグラフとして示した図である。
【図７】ＦＣモード時にＢｋ印刷を行う際、必ずしもＢｋモードに切り替えないときのＦＣとＢｋの混在枚数と寿命の逆数の平均値の関係を示す図である。
【図８】Ｂｋ印刷時に、必ずＢｋモードに切り替えるときのＦＣとＢｋの混在枚数と寿命の逆数の平均値の関係を示す図である。
【図９】中間転写ベルトの離接機構の他の例を示す図である。
【符号の説明】
【００４６】
１Ｙ，１Ｃ，１Ｍ，１Ｂ  感光体ドラム
２  現像装置
３  転写装置
４ＹＭＣ  接離機構
６  帯電装置
７  クリーニング装置
８  除電装置
１０１  ＣＰＵ
１１４  切り替え制御部
【図１】
2010072080.tif 000003
【図２】
2010072080.tif 000004
【図３】
2010072080.tif 000005
【図４】
2010072080.tif 000006
【図５】
2010072080.tif 000007
【図９】
2010072080.tif 000008
【図６】
2010072080.tif 000009
【図７】
2010072080.tif 000010
【図８】
2010072080.tif 000011